(57)【要約】【課題】  できるだけ通話料金を低減するとともに、より確実に着信に応答することができる構内交換機を提供することを目的とする。【解決手段】  公衆網および構内網と接続されるとともに、構内網に接続された複数の電話機に係る呼接続を行う構内交換機であって、構内網に接続された少なくとも１つの電話機と少なくとも１つの移動通信端末とを関連付けて記憶する内線同時呼出記憶部と、複数の電話機のうちの１つから移動通信端末への発呼が発信された場合に、内線同時呼出記憶部を参照して、発信先の移動通信端末に関連付けられた電話機が有るか否か判断する経路選択部と、経路選択部により発信先の移動通信端末と関連付けられた電話機が有ると判断された場合に、発信先の移動通信端末および関連付けられた電話機を両方とも呼出す呼制御部とを有する。【選択図】  図１
2010226534.tif 000002
【特許請求の範囲】
【請求項１】
公衆網および構内網と接続されるとともに、前記構内網に接続された複数の電話機に係る呼接続を行う構内交換機であって、
前記構内網に接続された少なくとも１つの電話機と少なくとも１つの移動通信端末とを関連付けて記憶する内線同時呼出記憶部と、
前記複数の電話機のうちの１つから移動通信端末への発呼が発信された場合に、前記内線同時呼出記憶部を参照して、発信先の移動通信端末に関連付けられた電話機が有る場合は発信先の移動通信端末および関連付けられた電話機の両方を呼出しするべく発呼の経路を選択し、発信先の移動通信端末に関連付けられた電話機が無い場合は前記発信先の移動通信端末を呼出しするべく発呼の経路を選択する経路選択部と、
前記経路選択部により選択された経路に発呼を送信して呼出しを行う呼制御部と
を有することを特徴とする構内交換機。
【請求項２】
前記内線同時呼出記憶部は、前記移動通信端末と前記関連付けられた電話機との両方を呼出すか否かの設定をさらに記憶し、
前記経路選択部は、前記内線同時呼出記憶部に記憶された前記設定を参照して、前記移動通信端末と前記関連付けられた電話機との両方を呼出しするか、前記発信先の移動通信端末のみを呼出しするか、を判断することを特徴とする請求項１に記載の構内交換機。
【請求項３】
前記呼制御部には、前記発信先の移動通信端末および前記関連付けられた電話機の両方を呼出しした場合に、前記発信先の移動通信端末および前記関連付けられた電話機のうちの一方が応答したことを判断すると、他方の呼出しを中止する呼出中止手段を備えることを特徴とする請求項１または請求項２に記載の構内交換機。
【請求項４】
公衆網および構内網と接続されるとともに、前記構内網に接続された複数の電話機に係る呼接続を行う構内交換機で使用されるプログラムであって、
前記複数の電話機のうちの１つから移動通信端末への発呼が発信された場合に、前記構内網に接続された少なくとも１つの電話機と少なくとも１つの移動通信端末とを関連付けて記憶する内線同時呼出記憶部を参照して、発信先の移動通信端末に関連付けられた電話機が有る場合は発信先の移動通信端末および関連付けられた電話機の両方を呼出しするべく発呼の経路を選択し、発信先の移動通信端末に関連付けられた電話機が無い場合は前記発信先の移動通信端末を呼出しするべく発呼の経路を選択する経路選択機能と、
前記経路選択部により選択された経路に発呼を送信して呼出しを行う呼制御機能と
を有することを特徴とする構内交換機用プログラム。
【請求項５】
前記呼制御機能には、前記発信先の移動通信端末および前記関連付けられた電話機の両方を呼出しした場合に、前記発信先の移動通信端末および前記関連付けられた電話機のうちの一方が応答したことを判断すると、他方の呼出しを中止する呼出中止機能を備えることを特徴とする請求項４に記載の構内交換機用プログラム。 
【発明の詳細な説明】
【技術分野】
【０００１】
本発明は、構内電話システムにおける構内交換機と携帯電話等の移動通信端末との連携機能に関する。
【背景技術】
【０００２】
企業向け構内交換システムは、構内交換システムのネットワークに多数の固定電話機が接続され、このネットワークに接続された電話機同士を用いた通話は、通信事業者から課金される通話料金が発生しない、いわゆる内線通話を行うようになっている。公衆網を経由した通話の場合は、通話の度に通話料金が課金され、通信事業者に対して通話料金を支払う必要がある。上記のような構内交換システムの場合は、公衆網を経ずに構内交換システムのネットワークを使用して通話を行うため、通信事業者から通話毎の課金がされなく、企業における通話料金を低減することができる。
【０００３】
また、近年では、企業の事務所内の自分の席で行う業務だけでなく、別室での作業や事務所から外出した先での業務においても連絡が取れるように、移動通信網の事業者と契約した携帯電話機やＰＨＳ（Personal Handyphone System）等の移動通信端末を使用することが多くなっている。そのため、発信者は事務所内で使用する固定電話機と携帯電話とのどちらの電話番号に発信すればよいか判断できず、例えば、携帯電話へ発信する場合よりも通話料金が低廉である事務所内の電話機にまずは発信を試み、応答されない場合には他方の電話番号（携帯電話）へ発信する。この場合、発信者は２度の手間がかかる。また、携帯電話であれば常時応答可能と発信者が判断した場合は、相手が事務所内に在席している場合であっても携帯電話へ発信する。この場合は手間が１度で済むが、通話料金が高くなる。
【０００４】
このような不便さを解消するとともに通話料金を低料金に抑えるべく、携帯電話を所有する固定電話機のユーザが、自席に在席している場合や社内にいる場合に、携帯電話への着信があった場合には固定電話機へ着信を転送するように構内交換機を構成する技術が知られている（例えば、特許文献１）。
【先行技術文献】
【特許文献】
【０００５】
【特許文献１】特開２００４−３４３７２０号公報
【発明の概要】
【発明が解決しようとする課題】
【０００６】
しかしながら、上記の技術では、携帯電話への着信があった場合に固定電話機へ着信を転送するための設定をする必要がある。これは、転送の設定を有効または無効に切替えすることにより、携帯電話への着信を固定電話機へ転送して固定電話機に着信させるか、転送せずに携帯電話へ着信させるかするものである。そのため、着信する場合には、一方の電話機のみ鳴動する。具体的には、社外へ外出する際には、着信を転送する機能の設定を無効にすることにより携帯電話で着信するようにし、社内へ戻った際には、外出時に無効にした設定を有効にして、携帯電話への着信を固定電話機へ転送する必要がある。このように、人為的に設定を行うため、設定忘れや設定ミスなどにより着信に応答できない場合がある。また、発信者および着信者が社内の電話構内交換システムのネットワーク内に接続した固定電話機ＥＸｎを使用可能な場合、すなわち構内交換システムにより課金されない通話が可能である状況で、発信者が固定電話機ＥＸｎを用いて着信者の携帯電話へ発信した場合、公衆網を介するため、通信事業者からこの通話に対して課金されてしまう。
【０００７】
そのため、できるだけ通話料金を低減するとともに、より確実に着信に応答することができる構内交換機および構内交換機用プログラムを提供することを目的とする。
【課題を解決するための手段】
【０００８】
上記目的を達成するために、本発明による構内交換機は、公衆網および構内網と接続されるとともに、前記構内網に接続された複数の電話機に係る呼接続を行う構内交換機であって、前記構内網に接続された少なくとも１つの電話機と少なくとも１つの移動通信端末とを関連付けて記憶する内線同時呼出記憶部と、前記複数の電話機のうちの１つから移動通信端末への発呼が発信された場合に、前記内線同時呼出記憶部を参照して、発信先の移動通信端末に関連付けられた電話機が有る場合は発信先の移動通信端末および関連付けられた電話機の両方を呼出しするべく発呼の経路を選択し、発信先の移動通信端末に関連付けられた電話機が無い場合は前記発信先の移動通信端末を呼出しするべく発呼の経路を選択する経路選択部と、前記経路選択部により選択された経路に発呼を送信して呼出しを行う呼制御部とを有することを特徴とする。
【０００９】
また、上記目的を達成するために、本発明による構内交換機用プログラムは、公衆網および構内網と接続されるとともに、前記構内網に接続された複数の電話機に係る呼接続を行う構内交換機で使用されるプログラムであって、前記複数の電話機のうちの１つから移動通信端末への発呼が発信された場合に、前記構内網に接続された少なくとも１つの電話機と少なくとも１つの移動通信端末とを関連付けて記憶する内線同時呼出記憶部を参照して、発信先の移動通信端末に関連付けられた電話機が有る場合は発信先の移動通信端末および関連付けられた電話機の両方を呼出しするべく発呼の経路を選択し、発信先の移動通信端末に関連付けられた電話機が無い場合は前記発信先の移動通信端末を呼出しするべく発呼の経路を選択する経路選択機能と、前記経路選択部により選択された経路に発呼を送信して呼出しを行う呼制御機能とを有することを特徴とする。
【発明の効果】
【００１０】
本発明による構内交換機および構内交換機用プログラムによれば、できるだけ通話料金を低減するとともに、より確実に着信に応答することができる。
【図面の簡単な説明】
【００１１】
【図１】本発明の一実施の形態に係る構内交換システムを示したブロック図。
【図２】本発明の一実施の形態に係る構内交換機を示したブロック図。
【図３】本発明の一実施の形態に係る構内交換機に記憶される内線同時呼び出しデータベースを示す図。
【図４】本発明の一実施の形態に係る構内交換システムで携帯電話へ着信する場合のシーケンスを示す図。
【図５】本発明の一実施の形態に係る構内交換システムで固定電話機へ着信する場合のシーケンスを示す図。
【図６】本発明の一実施の形態に係る構内交換機の処理を示すフローチャート。
【発明を実施するための形態】
【００１２】
以下、本発明の実施例を、図面を参照して説明する。
【実施例】
【００１３】
図１は、本発明の一実施の形態を示す構内交換システムを示した図である。  
構内交換システムは、構内交換機ＰＢＸと、構内交換機ＰＢＸに直接または構内ネットワークを介して接続された固定電話機ＥＸ１、ＥＸ２とを有する。図１では固定電話機ＥＸ１、ＥＸ２は２つのみ示したが、多数の固定電話機ＥＸｎが接続されるようになっている。また、構内交換機ＰＢＸには、多数の固定電話機ＥＸｎが接続される他、公衆網ＮＷと接続される。
【００１４】
このような構内交換システムは、しばしば企業等で使用され、企業内での通話は構内交換機を経由して構内のネットワークを介して行われる。この企業内での通話は、いわゆる「内線」通話であり、企業内に設置される構内交換システムのネットワークに接続される固定電話機ＥＸｎはしばしば内線電話と呼ばれる。社外からの着信の場合には、社外の電話機から発せられた発信呼が社外の公衆網ＮＷを経由して構内交換機ＰＢＸを経由して固定電話機ＥＸｎに着信する。社内から社外へ発信する場合には、固定電話機ＥＸｎから発せられた発信呼が構内交換機ＰＢＸを経由して社外の公衆網ＮＷを介して発信先に着信する。また、例えばユーザＡという社員が携帯電話ＭＰを所有しているとともに自席に固定電話機ＥＸ２が設置されている場合に、ユーザＢという社員が固定電話機ＥＸ１からユーザＡと通話したい場合、携帯電話ＭＰに対して発信すると、携帯電話ＭＰを呼出しするとともに、携帯電話ＭＰを所有しているユーザＡの座席の固定電話機ＥＸ２を呼出しするようになっている。
【００１５】
次に、図２を参照して、構内交換機ＰＢＸの機能ブロックについて説明する。  
構内交換機ＰＢＸは、公衆網ＮＷと接続する局線インタフェース部１１、固定電話機（内線電話）へ接続する内線インタフェース部１２、構内交換機ＰＢＸを制御する制御部２０、種々の情報を記憶する例えばハードディスクドライブ等の記憶部Ｍとを有する。制御部２０には、発信呼や着信呼を受信して呼接続を行う呼制御部（呼制御機能）２２と、呼接続を行う際に、内線または公衆網のどちらを経由するかを選択する経路選択部（経路選択機能）２１とが備えられる。記憶部Ｍには、後述する、内線電話と携帯電話とを同時に呼出しするための内線同時呼出データベースＤＢが記憶されている。
【００１６】
公衆網ＮＷから固定電話機ＥＸｎへ着信する場合は、公衆網ＮＷから発信された発信呼を局線インタフェース部１１で受信すると、呼制御部２２が内線インタフェース部１２を制御して固定電話機ＥＸｎを呼び出すようになっている。固定電話機ＥＸｎから他の固定電話機ＥＸｎへ着信する場合は、発信元の固定電話機ＥＸｎから発信された発信呼を内線インタフェース部１２で受信し、呼制御部２２が内線インタフェース部１２を制御して発信先の固定電話機ＥＸｎを呼び出すようになっている。また、内線同時呼出データベースＤＢには、固定電話機（内線電話）ＥＸｎの電話番号（以降、内線番号と称する。）と携帯電話番号が関連付けされて記憶され、これらの電話を同時に呼出しするか否かの設定を記憶するようになっている。
【００１７】
ここで、図３を参照して内線同時呼出データベースＤＢの例を説明する。
【００１８】
内線同時呼出データベースは、内線番号、携帯電話番号、および内線同時呼出を行うか否かの設定が関連付けされて記憶されている。例えば、図３の例では、内線番号「１０００」は携帯電話番号「０９０−ａｂｃｄ−ａａａａ」と関連付けされ、内線電話と携帯電話とを同時呼出しないとの設定になっていることを示す。また、内線番号「１００１」は携帯電話番号「０９０−ａｂｃｄ−ａａａｂ」と関連付けされ、同時呼出しない設定になっていることを示す。同様に、内線番号「１００２」は携帯電話番号「０９０−ａｂｃｄ−ａａａｃ」と関連付けされ、同時呼出する設定になっていることを示し、以降も多数の内線番号について記憶されている。この内線同時呼出データベースＤＢへ、内線番号と携帯電話番号とを関連付けての登録や、内線同時呼出を行うか否かの設定の変更は、構内交換機ＰＢＸの特番機能を用いて登録することができる。
【００１９】
ここからは図２を参照した説明に戻る。  
内線電話から、他の内線電話に関連付けされている携帯電話番号へ発信すると、構内交換機ＰＢＸでは内線インタフェース部１２で呼を受信し、経路選択部２１が内線同時呼出ＤＢを参照して、発信先の携帯電話番号とその携帯電話番号に関連付けされている内線電話とを同時に呼出しする設定かを判断して、同時に呼出しする場合には、呼制御部２２が局線インタフェース部１１および内線インタフェース部１２を制御して、発信先の携帯電話およびその携帯電話番号に関連付けされている内線電話を両方呼出しするようになっている。また、携帯電話および内線電話の両方に呼出しを行っているため両方の電話が鳴動する。これらのうちの一方で着信に応答すると、応答したことを示す通知が構内交換機ＰＢＸに送られるようになっているため、この通知を構内交換機ＰＢＸが受信すると、呼制御部２２は他方の電話に行っている呼出しを中止する（呼出中止手段、呼出中止機能）。
【００２０】
次に、図４を参照して、内線電話ＥＸ１から内線電話ＥＸ２に関連付けられた携帯電話ＭＰへ発信する場合のシーケンスについて説明する。
【００２１】
内線電話ＥＸ１から内線電話ＥＸ２に関連付けされた携帯電話ＭＰの電話番号へ発信する（Ｓ１０１）と、構内交換機ＰＢＸの内線インタフェース部１２はその発信呼を受信し、経路選択部２１は内線同時呼出データベースＤＢを参照して、その携帯電話ＭＰの電話番号が内線電話ＥＸ２に関連付けされていると判断する。また、これらの電話が同時呼出する設定か否かについても判断する。図４の例では、同時呼出を行う設定になっている場合を示す。
【００２２】
経路選択部２１が、同時呼出を行うと判断する（Ｓ１０２）と、構内交換機ＰＢＸの呼制御部２２は内線電話ＥＸ２および携帯電話ＭＰを呼出しする（Ｓ１０３乃至Ｓ１０７）。構内交換機ＰＢＸが内線電話ＥＸ２を呼出しする（Ｓ１０３）と、内線電話ＥＸ２は、ユーザに着信を知らせるべく、鳴動する（Ｓ１０４）。このとき、内線電話ＥＸ２に備えられたディスプレイには、発信者名または発信元の内線電話ＥＸ１の内線番号等の、内線電話ＥＸ１に関する情報が表示される。また、構内交換機ＰＢＸが携帯電話ＭＰを呼出しする場合は、公衆網ＮＷを介して携帯電話ＭＰを呼出し（Ｓ１０５、Ｓ１０６）、携帯電話ＭＰは、ユーザに着信を知らせるべく鳴動する（Ｓ１０７）。このとき、携帯電話ＭＰに備えられたディスプレイには、発信元の内線電話ＥＸ１の内線番号と対応した電話番号が表示される。なお、携帯電話ＭＰが備える電話帳機能に、発信元の内線番号ＥＸ１の内線番号と対応した電話番号を発信元のユーザ名を登録しておいた場合は、携帯電話ＭＰに備えられたディスプレイには、発信元のユーザ名が表示される。これらの２つの呼出しによるそれぞれの電話機は、ほぼ同時に鳴動する。
【００２３】
携帯電話ＭＰを所有する内線電話ＥＸ２のユーザＡという社員が、内線電話ＥＸ２が設置された自席に在席中であれば、ほぼ同時に鳴動する携帯電話ＭＰのディスプレイおよび内線電話ＥＸ２のディスプレイを確認し、内線電話ＥＸ２の受話器を挙げ、着信に応答する（Ｓ１０８）。ユーザＡが内線電話ＥＸ２で着信に応答すると、応答したことを構内交換機ＰＢＸを介して内線電話ＥＸ１へ通知する（Ｓ１０９、Ｓ１１０）。構内交換機ＰＢＸは、内線電話ＥＸ２から内線電話ＥＸ１への通知が経由されているため、内線電話ＥＸ２が呼出しに応答したことを判断し、同時呼出を行った電話機のうち応答しなかった電話機の呼出しを中止する。図４の例では、内線電話ＥＸ２が応答した場合を示したため、ここでは携帯電話ＭＰの呼出しを中止する（Ｓ１１１、Ｓ１１２）。
【００２４】
呼出しが中止されると携帯電話ＭＰは鳴動を停止する（Ｓ１１３）。そして、内線電話ＥＸ２が呼出しに応答したので、内線電話ＥＸ１と内線電話ＥＸ２とは通話が成立する（Ｓ１１４）。内線電話ＥＸ１と内線電話ＥＸ２との通話を終了するときは、先に受話器を置いた内線電話ＥＸ２から切断を示す通知が送信され、構内交換機ＰＢＸを介して内線電話ＥＸ１が受信する（Ｓ１１５、Ｓ１１６）。これで通話が終了となる。
【００２５】
このように、内線電話ＥＸ１からユーザＡの携帯電話ＭＰに発信した場合でも、ユーザＡの携帯電話ＭＰと内線電話ＥＸ２の内線番号とを関連付けしておき、構内交換機ＰＢＸにそれらの関連付けた情報を記憶しておくことにより、内線電話ＥＸ２とその内線電話ＥＸ２と関連付けされた携帯電話ＭＰとの両方を呼出しすることができる。
【００２６】
次に、図５を参照して、内線電話ＥＸ１から内線電話ＥＸ２に関連付けられた携帯電話ＭＰへ発信する場合に、内線電話ＥＸ２と携帯電話ＭＰとを同時に呼出ししない設定がされているときのシーケンスについて説明する。
【００２７】
内線電話ＥＸ１から内線電話ＥＸ２に関連付けされた携帯電話ＭＰの電話番号へ発信する（Ｓ２０１）と、構内交換機ＰＢＸの内線インタフェース部１２はその発信呼を受信し、経路選択部２１は内線同時呼出データベースＤＢを参照して、その携帯電話ＭＰの電話番号が内線電話ＥＸ２に関連付けされていると判断する。また、これらの電話が同時呼出する設定か否かについても判断する。図５の例では、同時呼出を行わない設定になっている場合を示す。
【００２８】
経路選択部２１が、同時呼出を行わないと判断する（Ｓ２０２）と、構内交換機ＰＢＸの呼制御部２２は公衆網ＮＷを介して携帯電話ＭＰを呼出しする（Ｓ２０３、Ｓ２０４）。携帯電話ＭＰを呼出しすると、携帯電話ＭＰは、ユーザに着信を知らせるべく鳴動する（Ｓ２０５）。このとき、携帯電話ＭＰに備えられたディスプレイの表示については、図４の例と同様であるため、説明を省略する。
【００２９】
携帯電話ＭＰのユーザＡという社員は、携帯電話ＭＰのディスプレイを確認し、携帯電話ＭＰの受話ボタンを押下する等により着信に応答する（Ｓ２０６）。ユーザＡが携帯電話ＭＰで着信に応答すると、応答したことを公衆網ＮＷおよび構内交換機ＰＢＸを介して内線電話ＥＸ１へ通知する（Ｓ２０７、Ｓ２０８、Ｓ２０９）。携帯電話ＭＰが呼出しに応答したので、内線電話ＥＸ１と携帯電話ＭＰとの通話が成立する（Ｓ２１０）。内線電話ＥＸ１と携帯電話ＭＰとの通話を終了するときは、先に受話器を置いた携帯電話ＭＰから切断を示す通知が送信され、公衆網ＮＷおよび構内交換機ＰＢＸを介して内線電話ＥＸ１が受信する（Ｓ２１１、Ｓ２１２、Ｓ２１３）。これで通話が終了となる。
【００３０】
このように、内線電話ＥＸ２とその内線電話ＥＸ２に関連付けされた携帯電話ＭＰとを同時呼出を行わない設定にすれば、携帯電話ＭＰのみを呼出しするようにもできる。
【００３１】
次に、図６を参照して、図４および図５で説明した同時呼出の設定に応じて構内交換機ＰＢＸが行う呼出しの処理について説明する。ここでは、内線電話ＥＸ１が内線電話ＥＸ２に関連付けされている携帯電話ＭＰに発信する場合を示す。
【００３２】
まず、内線インタフェース部１２にて携帯電話ＭＰへの発呼を受信する（Ｓ３０１）と、経路選択部２１は、内線同時呼出データベースＤＢを参照して、その携帯電話ＭＰの電話番号が記憶されているか否かを判断する（Ｓ３０２）。この判断を行う前に、携帯電話ＭＰへ発信されたことを判断するために、発信先の電話番号が０９０または０８０等の携帯電話ＭＰの番号であるか否かを判断する処理を行うようにしてもよい。このような発信先が携帯電話であると判断し、携帯電話ＭＰの電話番号が内線同時呼出データベースＤＢに記憶されているか否かを判断すると、その携帯電話ＭＰの電話番号が内線同時呼出データベースＤＢに記憶されている場合は、内線同時呼出データベースＤＢのうち、その携帯電話ＭＰと関連付けされている内線電話の同時呼出を行うか否かの設定を参照して同時呼出を行うか否かを判断する（Ｓ３０３）。経路選択部２１が同時呼出を行うと判断した場合は、呼制御部２２が内線電話ＥＸ２および携帯電話ＭＰを同時に呼出しする（Ｓ３０４）。同時呼出を行った電話機のうち、どちらか一方から応答が有るか否かを判断し（Ｓ３０５）、応答が有るまで内線電話ＥＸ２および携帯電話ＭＰへの呼出しを続ける。どちらか一方の電話機から応答が有った場合、応答が無い電話機への呼出しを中止する（Ｓ３０６）。
【００３３】
処理Ｓ３０２で同時呼出データベースＤＢに携帯電話ＭＰの電話番号が無い場合および処理３０３で同時呼出しない設定である場合は、携帯電話ＭＰのみを呼出しする（Ｓ３０７）。
【００３４】
このように、構内交換機ＰＢＸが、内線電話のユーザが所持する携帯電話の電話番号をその内線電話と関連付けて記憶する内線同時呼出データベースを有し、内線電話から携帯電話へ発信した場合にこの内線同時呼出データベースを参照することで、携帯電話を呼出しするだけでなく、その携帯電話も呼出しすることができる。そのため、発信先の内線電話のユーザが、自席に在席しているにも関わらず携帯電話へ発信された場合でも、発信先のユーザの席に設置されている内線電話で応答することができ、より低料金の経路で通話を行うことができる。また、携帯電話と内線電話との両方を呼出しするように構成したため、外出時と在席時とで、携帯電話を呼出すか内線電話を呼出すかの設定を行う手間が省けるとともに、設定ミスにより応答できないということを防止することができる。
【００３５】
なお、本発明は、以上の構成に限定されるものではなく、種々の変形が可能である。例えば、携帯電話と内線電話とを同時に呼出す設定は、上記の実施の形態では、内線同時呼出データベースに記憶された各携帯電話毎や各内線電話毎に設定するようにしたが、各電話機毎の設定の他に、内線同時呼出データベースに記憶されている携帯電話と内線電話との全ての設定を、同時に呼出す設定にしたり、同時に呼出ししない設定にしたり、一括で変更するようにしてもよい。
【００３６】
また、内線同時呼出データベースには、内線番号と携帯電話番号とが１対１に記憶されているが、１つの内線番号に複数の携帯電話番号を関連付けしたり、１つの携帯電話番号に複数の内線電話番号を関連付けしたりするようにしてもよい。
【符号の説明】
【００３７】
ＰＢＸ…構内交換機、ＮＷ…公衆網、ＥＸ１，ＥＸ２，ＥＸｎ…内線電話、ＭＰ…携帯電話、１１…局線インタフェース部、１２…内線インタフェース部、２０…制御部、２１…経路選択部、２２…呼制御部、Ｍ…記憶部、ＤＢ…内線同時呼出データベース。
【図１】
2010226534.tif 000003
【図２】
2010226534.tif 000004
【図３】
2010226534.tif 000005
【図４】
2010226534.tif 000006
【図５】
2010226534.tif 000007
【図６】
2010226534.tif 000008